(57)【要約】【課題】  レンズ鏡筒内で発生した静電気を、他の部分に影響を及ぼすことなく、安全にカメラ本体側の接地部に導く。【解決手段】  リード線１３は接点ブロック４の接点端子５中の基準電位端子５ａに半田により接続されている。また、複数本のリード線６はそれぞれ基準電位端子５ａ及び各接点端子５とに接続しているため、基準電位端子５ａには２本のリード線６、１３が接続されている。レンズ鏡筒で発生した静電気はリード線１３を用いて、実装基板上のパターン配線を通さずに、基準電位端子５ａに接続するために、実装基板上の電気部品が誤作動を起こすことはない。【選択図】  図５
2008051922.tif 000002
【特許請求の範囲】
【請求項１】
撮像を行うカメラ本体と、該カメラ本体に着脱可能な交換レンズ鏡筒と、前記カメラ本体と前記交換レンズ鏡筒は内部に電気回路を有し、前記交換レンズ鏡筒側の電気回路と前記カメラ本体側の前記電気回路とを接続する複数の接点端子を有する光学装置において、前記交換レンズ鏡筒は内部に電気回路基板を有し、該電気回路基板と前記接点端子中の特定の接点端子に直接又は間接的に接続する第１の電気配線と、該第１の電気配線とは異なる第２の電気配線の一端を前記特定の接点端子に直接又は間接的に接続し、他端を前記交換レンズ鏡筒を構成する導電性部材に接続したことを特徴とする光学装置。
【請求項２】
前記特定の接点端子は前記カメラ本体の基準電位としたことを特徴とする請求項１に記載の光学装置。
【請求項３】
前記特定の接点端子に第３の電気配線の一端を接続すると共に前記特定の接点端子に前記第１又は第２の電気配線を接続し、前記第３の電気配線の他端の接続端に前記第２又は第１の電気配線を接続したことを特徴とする請求項１に記載の光学装置。
【請求項４】
前記第３の電気配線はフレキシブル偏平配線部材から成り、一端に棒状の前記特定の接点端子に挿着して接続する導電性を有する孔部を設け、他端に前記孔部から延在した銅箔部から成る前記接続端を設けたことを特徴とする請求項３に記載の光学装置。
【請求項５】
前記第３の電気配線は前記導電性の孔部に隣接して、棒状の前記特定の接点端子に隣接して設けた他の棒状接点端子に挿着するための孔部を設けたことを特徴とする請求項４に記載の光学装置。
【発明の詳細な説明】
【技術分野】
【０００１】
本発明は、カメラ本体とそのカメラ本体に着脱可能な撮像光学系と電気回路を搭載した基板とを備えたレンズ鏡筒から成る光学装置に関するものである。
【背景技術】
【０００２】
現今のカメラのレンズ鏡筒は、露光を制御する絞り機構、焦点を合致させるためのフォーカス機構等の多くの電気的な駆動機構を備えており、レンズ鏡筒の小型化に伴い、それらの駆動機構も小型化されている。また、焦点合致や露光制御のためのマイコンを代表する多くの電子部品をレンズ鏡筒の内部に保持し、レンズ鏡筒の小型化に伴い、それらの電子部品間の距離が接近してきている。
【０００３】
レンズ鏡筒の部品は強度耐久のため金属材から成るものと、軽量化のため合成樹脂材から成るものとが混在している。レンズ鏡筒内部の部品がズーミングやフォーカシングにより回転移動及び進退移動すると、これらの金属製の部品と合成樹脂製の部品が接しながら摺動するため、レンズ鏡筒内に静電気が発生し易い。
【０００４】
レンズ鏡筒内に発生するこの静電気は、内部に組み込まれている電子回路や回路部品に対して静電誘導障害或いは電磁誘導障害を与える虞れがある。近年のカメラ及びレンズ鏡筒は、高精度化された電子回路部品が狭い空間に多く組み込まれており、このような静電気による静電誘導や電磁誘導を受け易い。所定の電荷量以上の静電気が発生すると、電子回路や回路部品が誤作動し、電子回路部品が破壊されることがある。
【発明の開示】
【発明が解決しようとする課題】
【０００５】
特許文献１には、一眼レフカメラの交換レンズにおいて、交換レンズの脱着を検出し、スィッチ部材を介してマイコンのレベルを基準電位つまり接地電位に落とす技術が開示されている。
【０００６】
また特許文献２には、レンズ鏡筒の前面部を金属部材にし、貫通孔を設けて、その金属部材とメイン基板をフレキシブルプリント配線基板で接続し、基準電位に落とす技術が開示されている。
【０００７】
特許文献３には、電気回路を搭載した基板の接地部を、導電性を持つレンズ鏡筒と電気的に接続することで、静電気等の高電圧電流から電気回路を保護している。
【０００８】
しかし、レンズ鏡筒内で発生した静電気等の高電圧電流を基板の接地部に接続し、電気回路を通してカメラ側の接地部に接続すると、基板上のＩＣ、抵抗、コイル、コンデンサ等の電気素子や、配線の近傍にも高電圧電流が流れることになる。この高電圧電流により、基板上の電気素子が静電誘導や電磁誘導を受け、誤作動を起こし易いという問題がある。
【０００９】
【特許文献１】実公平４−４０１９５号
【特許文献２】特開２００３−２１５４２５号
【特許文献３】特開２００１−３３７２６０号
【００１０】
本発明の目的は、上述の課題を解消し、レンズ鏡筒内で発生した静電気等の高電圧電流を他の部分に影響を及ぼすことなく、特定の接点端子を介して安全にカメラ側の基準電位に導く光学装置を提供することにある。
【課題を解決するための手段】
【００１１】
上記目的を達成するための本発明に係る光学装置の技術的特徴は、撮像を行うカメラ本体と、該カメラ本体に着脱可能な交換レンズ鏡筒と、前記カメラ本体と前記交換レンズ鏡筒は内部に電気回路を有し、前記交換レンズ鏡筒側の電気回路と前記カメラ本体側の前記電気回路とを接続する複数の接点端子を有した光学装置において、前記交換レンズ鏡筒は内部に電気回路基板を有し、該電気回路基板と前記接点端子中の特定の接点端子に直接又は間接的に接続する第１の電気配線と、該第１の電気配線とは異なる第２の電気配線の一端を前記特定の接点端子に直接又は間接的に接続し、他端を前記交換レンズ鏡筒を構成する導電性部材に接続したことにある。
【発明の効果】
【００１２】
本発明に係る光学装置によれば、特定の接点端子から電気回路基板上と交換レンズ鏡筒内の導電部材との少なくとも２個所以上の部分に電気配線を導くことができるため、設計の自由度を増すことになる。
【００１３】
また、特定の接点端子をカメラ本体の基準電位とすると、交換レンズ鏡筒内の電子部品を実装した基板を通すことがなくなるので、電気回路基板上の素子や電気回路等が静電誘導や電磁誘導を受けて誤作動を起こすことがない。
【００１４】
更に、第３の電気配線を使用することにより、２本の電気配線を１つの特定の接点端子に接続する際の作業性が向上する。
【発明を実施するための最良の形態】
【００１５】
本発明を図示の実施例に基づいて詳細に説明する。
【実施例１】
【００１６】
図１は実施例１の光学装置の縦断面図、図２は図１の電気接点部の詳細図である。光学装置を構成する撮像装置としてのカメラ本体１に対して、光学装置を構成するレンズ装置としての交換レンズ鏡筒２が着脱自在に取り付けられている。
【００１７】
交換レンズ鏡筒２にはレンズマウント３が取り付けられており、このマウント３は交換レンズ鏡筒２をカメラ本体１に着脱可能に接続するために、端面はバヨネット機構とされている。レンズマウント３はカメラ本体１側のカメラマウントに対し光軸方向に当接させ、光軸回りに回転することで接続される。
【００１８】
レンズマウント３の内周側には接点ブロック４が位置決めされ、この接点ブロック４はビスにより径方向からマウント３に固定されている。接点ブロック４は樹脂により形成されており、内部には金属製の複数本の棒状の接点端子５がインサート成形されている。これらの接点端子５は交換レンズ鏡筒２をカメラ本体１に装着した状態において、カメラ本体１からの電源、基準電位の供給、通信を行うために用いられる。更に、各接点端子５には半田付けによってそれぞれリード線６が接続されており、リード線６の他端は各種の電気部品を搭載した実装基板７の電気回路の配線パターンに接続されている。
【００１９】
この実装基板７は交換レンズ鏡筒２の固定鏡筒８の後端側にビス等で固定され、交換レンズ鏡筒２内のモータの制御やカメラ本体１との通信等を行うためのものであり、図３に示すように略円環状とされ、中央の孔部において撮影光束を通過させる。
【００２０】
実装基板７には、レンズや絞りの位置を検出するセンサ等と電気的な接続を行うために、コネクタ９、９'、９''が実装されており、これらのコネクタ９、９'、９''には偏平なフレキシブルプリント配線基板１０、１０'、１０''が接続されている。
【００２１】
実装基板７と固定鏡筒８の位置関係はレンズマウント３のバックフォーカス調整により変化する。従って、固定鏡筒８側から引き出されたフレキシブルプリント配線基板１０、１０'、１０''は、実装基板７と接続される部分の屈曲状態が変形可能なように適度な垂みを有している。そして、この屈曲形状が変化しても、組込作業等に支障がないようにされている。
【００２２】
固定鏡筒８の内部に導電性材料から成る案内鏡筒１１がビス等で固定されており、案内鏡筒１１の内部には金属部材から成る鏡筒と合成樹脂材から成る鏡筒が混在し、ズーム・フォーカス動作に伴って摺動している。
【００２３】
図４はコネクタ９に接続したフレキシブルプリント配線基板１０の平面図を示し、この配線基板１０の主要部は案内鏡筒１１の外周面に貼り付けられている。配線基板１０は位置検出用のグレイコードパターン１０ａを有し、このグレイコードパターン１０ａの上を案内鏡筒１１内の金属製のブラシが通ることで案内鏡筒１１の位置検出が行われる。また、コネクタ９と接続する部分の一部には基準電位パターン１０ｂが形成されている。この基準電位パターン１０ｂに接続されている導電性の孔部分１０ｃを介して、案内鏡筒１１にビスを用いて電気的に接続されている。
【００２４】
フレキシブルプリント配線基板１０の基準電位パターン１０ｂは、図３に示すようにコネクタ９に接続されると共に、フレキシブルプリント配線基板１０から延在された銅箔部をランド１２とし、このランド１２にリード線１３が接続されている。リード線１３の他端は図５に示すリード線接続構造に示すように、接点ブロック４の接点端子５中の基準電位端子５ａに半田により接続されている。また、複数本のリード線６はそれぞれ各接点端子５と実装基板７上の配線パタ−ン上とを接続しているため、基準電位端子５ａには２本のリード線６、１３が接続されていることになる。
【００２５】
このように、レンズ鏡筒２で発生した静電気を、フレキシブルプリント配線基板１０により実装基板７上のランド１２を介して、実装基板７上のパターン配線を通さずに、リード線１３を用いて接点ブロック４の基準電位端子５ａに逃がしている。従って、実装基板７上の電気部品が誤作動を起こす虞れはない。
【００２６】
更に本実施例では、基準電位端子５ａに２本のリード線６、１３を接続する手法を示したが、基準電位端子５ａは複数本あってもよく、またそのためのリード線１３も複数本あってもよい。更に、基準電位端子５ａは接地端子として使用しているが、他の用途に用いることもできる。
【実施例２】
【００２７】
実施例１では、複数のリード線６、１３を基準電位端子５ａに半田付けを行う場合に、最初に半田付けしたリード線の上に、後から次のリード線を半田付けするため、先に半田付けしたリード線が半田ごての熱で外れることがある。また、複数本のリード線６、１３を手で保持しながら作業を行うため、作業性が悪い。
【００２８】
そこで本実施例２では、２本のリード線６、１３を基準電位端子５ａに接続する際に、図６に示すフレキシブルプリント配線基板２０が用いられている。このプリント配線基板２０には３つの孔部２０ａ、２０ｂ、２０ｃが並設され、少なくとも中央の孔部２０ａは導電性とされている。それぞれの孔部２０ａ、２０ｂ、２０ｃはほぼ一列に並んだ接点端子５に対して挿入可能な形状とされており、特に孔部２０ａは中央の基準電位端子５ａに挿入し電気的に接続可能とされている。また、孔部２０ａはフレキシブルプリント配線基板２０上に露出した銅箔部２０ｄと電気的に接続されている。
【００２９】
図７はこのフレキシブルプリント配線基板２０を用いた接続構造図である。フレキシブルプリント配線基板２０の銅箔部２０ｄにリード線１３を半田付けし、孔部２０ａを基準電位端子５ａに挿入し電気的に接続する。このとき、基準電位端子５ａの両側の接点端子５に孔部２０ｂ、２０ｃをそれぞれ挿入する。
【００３０】
このように、孔部２０ｂ、２０ｃを基準電位端子５ａの両側の接点端子５に挿入することで、フレキシブルプリント配線基板２０の回転を規制し、取付強度を増すことができる。そして、基準電位端子５ａ及び両側の接点端子５及び他の接点端子５の先端部にリード線６を半田付けする。
【００３１】
このように基準電位端子５ａにリード線を直接又は間接的に接続する構造とすることで、１個の基準電位端子５ａに２本のリード線６、１３を電気的に等価に接続することが可能になる。また、実施例ではリード線１３を銅箔部２０ｄに、リード線６を基準電位端子５ａに接続したが、逆にリード線１３を基準電位端子５ａに、リード線６を銅箔部２０ｄに接続しても支障はない。
【００３２】
本実施例２では、複数本のリード線６、１３を１つの基準電位端子５ａに接続する際に、フレキシブルプリント配線基板２０を用いて、それぞれ別の個所に半田付けするため、先の半田部分が作業中に半田ごての熱で外れることはなく、作業性が向上する。また、近傍の接点端子を利用して回転止め及び固定を行うため、接点端子との接続強度が増加することになる。
【００３３】
また、本実施例２では、フレキシブルプリント配線基板２０の孔部２０ａに繋がる銅箔部２０ｄ及び基準電位端子５ａは１個であったが、複数個とすることもできる。また、回転止め用の両側の孔部２０ｂ、２０ｃは本実施例２では２個としたが、１個としたり更に数を多くしたり、或いはこれらの孔部２０ｂ、２０ｃにも銅箔部を付設することもできる。
【００３４】
上述の各実施例では、リード線１３をフレキシブルプリント配線基板１０、実装基板７を介して基準電位端子５ａに接続した。しかし、案内鏡筒１１にリード線１３を直接に半田付けし、リード線１３の他端を基準電位端子５ａ又は銅箔部２０ｄに接続してもよい。
【００３５】
また、フレキシブルプリント配線基板１０、１０'、１０''、２０は、銅箔を打ち抜いて貼り付けたフレキシブルフラットケーブルに代替することもできる。
【００３６】
なお、本発明はこれらの実施例に限定されず、特許請求の範囲内で種々の変形や変更が可能である。
【図面の簡単な説明】
【００３７】
【図１】実施例１の光学装置の縦断面図である。
【図２】電気接点部の詳細図である。
【図３】電気部品実装基板の正面図である。
【図４】フレキシブルプリント配線基板の平面図である。
【図５】リード線接続の構成図である。
【図６】実施例２のフレキシブルプリント配線基板の平面図である。
【図７】リード線接続の構成図である。
【符号の説明】
【００３８】
１  カメラ本体
２  交換レンズ鏡筒
３  レンズマウント
４  接点ブロック
５  接点端子
５ａ  基準電位端子
６、１３  リード線
７  実装基板
８  固定鏡筒
９、９'、９''  コネクタ
１０、１０'、１０''、２０  フレキシブルプリント配線基板
１１  案内鏡筒
１２  ランド
２０ａ、２０ｂ、２０ｃ  孔部
２０ｄ  銅箔部
【図１】
2008051922.tif 000003
【図２】
2008051922.tif 000004
【図３】
2008051922.tif 000005
【図４】
2008051922.tif 000006
【図５】
2008051922.tif 000007
【図６】
2008051922.tif 000008
【図７】
2008051922.tif 000009